(57)【要約】【課題】視認性を向上させて、かつブロッキングを防止するという相反する課題を同時に解決する。【解決手段】透明の蓋２であって、天面部２０と、該天面部２０の外縁から下方に向けて延設された側壁部２１と、該側壁部２１の下端から外方に向けて延設されたフランジ部２２とを備え、側壁部２１の最上部に、下方へ向けて縮径する第一の逆テーパ部３０が形成され、側壁部２１の最下部に、下方に向けて縮径する第二の逆テーパ部３２が形成され、第一の逆テーパ部３０と第二の逆テーパ部３１は同じ高さ寸法とされている。【選択図】図２
2018079949.tif 000002
【特許請求の範囲】
【請求項１】
透明の蓋であって、
天面部と、該天面部の外縁から下方に向けて延設された側壁部と、該側壁部の下端から外方に向けて延設されたフランジ部とを備え、
側壁部の最上部に、下方へ向けて縮径する第一の逆テーパ部が形成され、側壁部の最下部に、下方に向けて縮径する第二の逆テーパ部が形成され、
第一の逆テーパ部と第二の逆テーパ部は同じ高さ寸法とされていることを特徴とする包装用容器の蓋。
【請求項２】
第一の逆テーパ部の下端から外方に向けて略水平面が延設されている請求項１記載の包装用容器の蓋。
【請求項３】
フランジ部の最内部に略水平面が形成され、請求項１又は２記載の包装用容器の蓋。
【請求項４】
請求項１乃至３の何れかに記載の蓋と、容器本体とを備えた包装用容器。
【発明の詳細な説明】
【技術分野】
【０００１】
本発明は、包装用容器の蓋とそれを備えた包装用容器に関し、特には、合成樹脂シートにより成形されてなる包装用容器の蓋と包装用容器に関し、蓋の天面部及び側壁部からの視認性に優れ、しかも出荷・梱包された後に、客先にて使用される際に、積み重ねられた蓋同士が噛み合ってブロッキングしてしまうことを抑制できる包装用容器の蓋とそれを備えた包装用容器に関する。
【背景技術】
【０００２】
合成樹脂シートにより成形されてなる包装用容器は、安全で安価であることから、コンビニやスーパーマーケットなどで惣菜や弁当などの食品を収容して使用する需要が増えている。このような容器において、顧客に収容した食品のおいしさを伝えるために収容物の視認性を向上することが求められている。
【０００３】
合成樹脂シートにより成形されてなる包装用容器として、下記特許文献１に記載された容器がある。しかしながら、下記特許文献１の容器では、蓋の強度を向上するためにリブを設けており、このようなリブは補強の有力な手段である一方、収容した食品の視認性を犠牲にすることとなってしまい、食品のおいしさを十分に伝えることができていない。更に、梱包輸送される際に蓋は積み重ねられた状態とされるが、積み重ねられた蓋同士が噛み合って互いに外れにくい、といった問題も解決できていない。特に、合成樹脂製の蓋は、積み重ねられた際に静電気が発生しやすいので、蓋同士の噛み合いが顕著に生じる。
【０００４】
このように、バックヤードなどで食材を容器に盛り付けて閉蓋をする作業において、積み重ねられた蓋同士が噛み合って互いに外れにくいという改善要望が多くなっている。この改善要望は、バックヤード以外の専用工場でも同様に多くなっており、食品の充填からパッキングまでを機械によって行う際にも、積み重ねられた蓋同士が噛み合って互いに外れにくい場合には、ライン上でのトラブルとなってしまう。
【０００５】
他方、下記特許文献２には、上記したブロッキングを防止するために蓋の外壁部に複数の突起を設け、上下に積み重ねられた蓋同士が噛みこむことを防止して、ブロッキングを防止する構成が開示されている。しかし、このようなブロッキングを防止するための複数の突起は、顧客に収容した食品のおいしさを伝えるために重要となる収容物の視認性を低下させてしまう。
【先行技術文献】
【特許文献】
【０００６】
【特許文献１】特開２０１６-１４５０５３号公報
【特許文献２】特開平１０−２９６４９号公報
【発明の概要】
【発明が解決しようとする課題】
【０００７】
そこで、本発明者らは、上記した視認性を向上させて、かつブロッキングを防止するという相反する課題を同時に解決するにはどうしたらよいかについて種々検討を重ねてきた結果、本発明を完成したのである。
【課題を解決するための手段】
【０００８】
即ち、本発明に係る包装用容器の蓋は、透明の蓋であって、天面部と、該天面部の外縁から下方に向けて延設された側壁部と、該側壁部の下端から外方に向けて延設されたフランジ部とを備え、側壁部の最上部に、下方へ向けて縮径する第一の逆テーパ部が形成され、側壁部の最下部に、下方に向けて縮径する第二の逆テーパ部が形成され、第一の逆テーパ部と第二の逆テーパ部は同じ高さ寸法とされていることを特徴とする。
【０００９】
通常の出荷形態では、蓋は上下に積み重ねられて梱包される。上記構成の蓋においては、第一の逆テーパ部と第二の逆テーパ部が同じ高さ寸法であるので、蓋を上下に積み重ねた際に、下側の蓋における第一の逆テーパ部の上端近傍の部分とその上側に重ねられた蓋における第一の逆テーパ部の下端近傍の部分とが接触するとともに、下側の蓋における第二の逆テーパ部の上端近傍の部分とその上側に重ねられた蓋における第二の逆テーパ部の下端近傍の部分とが接触する。つまり、蓋同士を上下に積み重ねた際に、上側の蓋と下側の蓋とが上下に離れた二箇所で当接することになり、上下二つの当て面が生じることになる。従って、蓋を積み重ねて梱包した際に、上下の蓋が互いに噛みこんで外れなくなるというブロッキングを防止することができる。また、上下に積み重ねた蓋を水平に保つことができる。そのため、バックヤードなどで食材を容器に盛り付けて閉蓋をする作業において、スムーズに閉蓋作業を行うことができる。また、バックヤード以外の専用工場で食品の充填からパッキングまでを機械によって行う際においても、積み重ねられた蓋同士が噛み合って互いに外れにくいということがなく、ライントラブルの発生を防止できる。
【００１０】
また、これまでは例えば上記特許文献２のようにブロッキング防止のために互いに位置をズラした突起をフランジ部と側壁部の境界付近に設けるということが行われていた。これに対して上記構成の蓋では、このような突起を設けることなく、ブロッキングを防止することができ、上下に積み重ねた蓋を水平に保つことができる。そのため、蓋の視認性を向上させることができ、容器に収容された食品を蓋を介してはっきりと視認することができ、容器に収容した食品のおいしさを顧客に対して十分に伝えることができる。
【００１１】
特に、第一の逆テーパ部の下端から外方に向けて略水平面が延設されていることが好ましい。また、フランジ部の最内部に略水平面が形成されていることが好ましい。このような構成を採用することで、ブロッキングをより一層確実に防止できると共に、積み重ねた蓋をより一層確実に水平に保つことができる。
【００１２】
尚、天面部の少なくとも最外部に略水平面が形成されていることが好ましく、また、第二の逆テーパ部の上端から内方に向けて略水平面が延設されていることも好ましい。
【００１３】
また、本発明に係る包装用容器は、上記蓋と容器本体とを備えたものである。
【発明の効果】
【００１４】
以上のように、側壁部の最上部と最上部にそれぞれ同じ高さ寸法である第一の逆テーパ部と第二の逆テーパ部が形成されているので、視認性の向上とブロッキングの防止という相反する課題を同時に解決することができる。
【図面の簡単な説明】
【００１５】
【図１】本発明の一実施形態における包装用容器の開蓋状態を示す斜視図。
【図２】同包装用容器の蓋の要部断面図。
【図３】同蓋を上下に積み重ねた状態を示す要部断面図。
【図４】同蓋の積み重ね状態の要部拡大断面図。
【図５】同蓋の積み重ね状態の要部拡大断面図。
【図６】本発明の他の実施形態における包装用容器の蓋の要部断面図。
【図７】同蓋の積み重ね状態を示す要部断面図。
【発明を実施するための形態】
【００１６】
以下、本発明の一実施形態に係る包装用容器について図１〜図５を参酌しつつ説明する。本実施形態における包装用容器は、各種の内容物を収容可能な蓋付き容器であって、内容物としては特に各種の食材が好適である。本実施形態における包装用容器は、図１に示すように、上面開口の容器本体１と、該容器本体１の上面開口部を閉塞すべく容器本体１に着脱可能に装着される蓋２とを備えていて、容器本体１と蓋２は何れも合成樹脂シートを熱成形することにより形成されたものである。容器本体１と蓋２は、互いに嵌合する構成を備えることが好ましく、本実施形態では容器本体１の内側に蓋２が嵌合する内嵌合構造が採用されているが、容器本体１の外側に蓋２が嵌合する外嵌合構造であってもよい。
【００１７】
容器本体１は、底面部１０と該底面部１０の外縁から上方に向けて拡開しつつ延びる側壁部１１と、該側壁部１１の上端から外方に向けて延びるフランジ部１２とを備えている。容器本体１や蓋２の形状は任意であるが、本実施形態では、底面部１０は平面視円形状であって、側壁部１１の上端の形状、即ち、開口部の形状も平面視円形状であるが、フランジ部１２の外縁の形状は平面視矩形となっている。但し、フランジ部１２の外縁の形状も平面視円形状であってもよい。
【００１８】
蓋２は、透明の蓋２であって、包装用容器に収容した食品を蓋２を介して外部から視認できるものとなっている。蓋２は、天面部２０と、該天面部２０の外縁から下方に向けて延設された側壁部２１と、該側壁部２１の下端から外方に向けて延設されたフランジ部２２とを備えている。
【００１９】
天面部２０は、その全体が略水平面として構成されていて、凹凸のない平坦面となっている。但し、天面部２０の全体が略水平面でなくてもよいが、天面部２０のうち少なくとも最外部が略水平面とされていることが好ましい。天面部２０の形状も任意であって種々の形状であってよく、平面視矩形であってもよいが、本実施形態では全体として平面視円形状であってその一部が直線状に切り欠かれたＤカット形状となっている。このように本実施形態では、天面部２０の外縁の全周のうちの一箇所に直線部２０ａを有する形状となっているが、天面部２０は、切欠部のない平面視円形状であってもよい。
【００２０】
側壁部２１は、全体としては下方に向けて拡開しつつ延びていて、即ち、下方に向かう程外側となる順テーパ形状となっているが、一部には、下方に向かう程内側となる逆テーパ形状となっている部分を有している。具体的には、側壁部２１は、上から順に、第一の逆テーパ部３０と、側壁主部３１と、第二の逆テーパ部３２とを備えている。
【００２１】
第一の逆テーパ部３０は、側壁部２１の最上部に位置していて、天面部２０の外縁から下方に向けて縮径するように内側に延びている。従って、第一の逆テーパ部３０の上端に対して第一の逆テーパ部３０の下端は内側に位置している。第一の逆テーパ部３０の高さ寸法は、例えば３ｍｍ〜４０ｍｍであり、垂直方向に対する傾きは例えば３°〜１５°である。尚、第一の逆テーパ部３０は天面部２０の外縁から下方に向けて直線状に縮径しているが、湾曲しつつ縮径する形状であってもよい。第一の逆テーパ部３０の下端から外方に向けて略水平面３３が延設されていることが好ましい。略水平面３３の径方向（内外方向）の寸法、即ち幅は、第一の逆テーパ部３０の上端と下端との間の半径差と略等しいことが好ましく、その半径差以上であることが好ましい。尚、容器本体１の底面部１０の下面に凹部を設けてもよく、閉蓋状態の包装用容器同士を上下に積み重ねた際に、第一の逆テーパ部３０の上部が上側の容器本体１の底面部１０の凹部と係合することにより、包装用容器同士の水平方向の位置ずれを防止できる。
【００２２】
側壁主部３１は、第一の逆テーパ部３０と第二の逆テーパ部３２との間に位置していて、側壁部２１の大部分を構成している。側壁主部３１の断面形状も任意であるが、本実施形態では、外側に向けて突出するように湾曲した形状となっている。尚、天面部２０の直線部２０ａの下側において側壁主部３１の湾曲の度合いを他の部分よりも小さく設定して、その部分をラベル貼着面２１ａとしてよい。
【００２３】
本実施形態では、側壁主部３１の最上部に上述した略水平面３３が形成されている。また、側壁主部３１の最下部にも上側の略水平面３３と同様に略水平面３４が形成されている。上側の略水平面３３と下側の略水平面３４は、略同じ幅であってもよいし、異なる幅であってもよい。
【００２４】
下側の略水平面３４の外縁から下方に向けて第二の逆テーパ部３２が延びている。第二の逆テーパ部３２は、第一の逆テーパ部３０と、高さ寸法が同じである。尚、第二の逆テーパ部３２の高さ寸法と第一の逆テーパ部３０の高さ寸法とは、１ｍｍ以下の寸法差としておく必要がある。また、第一の逆テーパ部３０と第二の逆テーパ部３２は、傾きも互いに同じである。かかる第二の逆テーパ部３２の下端までが側壁部２１である。
【００２５】
該第二の逆テーパ部３２の下端から外側に向けて略水平面４０が形成されていることが好ましい。即ち、フランジ部２２の最内部に略水平面４０が形成されていることが好ましい。該略水平面４０は、側壁主部３１の上側の略水平面３３や下側の略水平面３４と同様の幅で形成されてよい。フランジ部２２の構成は種々であってよいが、本実施形態では上述したように内嵌合構造を採用したものとなっている。具体的には、フランジ部２２は、内側から順に、略水平面４０と、該略水平面４０の外縁から下方に延びる内壁部４１と、該内壁部４１の下端から外側に向けて略水平に延びる下面部４２と、該下面部４２の外縁から面取り部４３を介して上方に向けて徐々に縮径する逆テーパ嵌合部４４と、該逆テーパ嵌合部４４の上端から面取り部４５を介して外方に略水平に延びる外周縁部４６とを備えている。尚、外周縁部４６の全周のうちの所定箇所には図１のように摘み部４７を形成することが好ましい。
【００２６】
尚、蓋２の天面部２０や側壁部２１、フランジ部２２には、凹凸によるリブが設けられていない。このようにリブを設けないことによって視認性が向上し、内部の食材のおいしさを顧客に視覚的に伝えることができる。これに対して、容器本体１には、適宜補強のためのリブを設けてよい。
【００２７】
また、容器本体１及び蓋２の端縁部には外周縁部４６を設けてよい。この外周縁部４６は略水平に設けてよい。外周縁部４６の外縁側には、極細の多数の凹凸を形成し、補強するとともに、指などがあたっても、指などを切ることがないようにされてよい。この凹凸は、正面から拡大して見たときに波形状とされ、多数の山と谷の方向が容器本体１や蓋２の内外方向に沿っていて、容器本体１や蓋２が角部を有する形状の場合にはその角部においては角部と中心部とを結ぶ方向（放射方向）に平行に形成される。また、この凹凸は、例えば、平目ローレット目や綾目ローレット目のようなローレット目によって形成され、さらには、滑りにくいようにするため、綾目ローレット目によって形成することが好ましい。
【００２８】
容器本体１や蓋２は、例えばポリエチレンテレフタレート、ポリスチレンやポリプロピレンやポリエチレンなどのポリオレフィンなどであって、これらの中でもレンジ耐熱性を有する合成樹脂シート、これらのシート素材として無機物を充填したシート、これらをシート素材として発泡させた発泡シート、さらには、これらのシートを延伸させた延伸シートなどを好ましく使用できる。また、ポリスチレンとして耐熱性に優れた耐熱性のスチレン系樹脂を使用した耐熱性発泡スチレン系樹脂シート、耐熱性に優れたポリプロピレンに無機物を充填させた発泡させたシート、ポリエチレンテレフタレート・ポリスチレン・ポリプロピレン・ポリエチレンなどのシートを延伸して耐熱性を向上させた耐熱シートを使用できる。特に、蓋２には、これらのシートの中でも、透明性に優れたシートが好ましく、収容した食品を良好に視認できるので好適である。一方、耐熱性発泡素材を容器本体１に使用した容器は、電子レンジ加熱時に素手で持っても熱くなく、かつ保温性にも優れるので好適である。
【００２９】
以上のように構成された蓋２を上下に積み重ねた状態を図３に示している。図３では、一例として三つの蓋２を示している。このように蓋２同士を上下に積み重ねると、側壁部２１の最上部と最上部にそれぞれ同じ高さ寸法である第一の逆テーパ部３０と第二の逆テーパ部３２が形成されているので、上側の蓋２と下側の蓋２は上下二箇所で当接することになる。上下の当接部分を拡大した図が図４と図５である。図４、図５では蓋２を二つのみ示している。上側の当接部分を拡大した図が図４である。図４のように、下側の蓋２における天面部２０の最外部の上に、上側の蓋２における側壁部２１の上側の略水平面３３が当接する。また、下側の当接部分を拡大した図が図５である。図５のように、下側の蓋２における側壁部２１の下側の略水平面３４の上に、上側の蓋２におけるフランジ部２２の略水平面４０が当接する。
【００３０】
このように上側の蓋２と下側の蓋２は、この上下二箇所の当て面のみで当接し、その他の部分においては当接しない状態となる。そのため、蓋２を積み重ねて梱包した際に、上下の蓋２が互いに噛みこんで外れなくなるということがない。即ち、蓋２同士の間のブロッキングを防止することができる。また、上下二箇所の当て面で当接しているので、上下に積み重ねた蓋２を水平に保つことができる。そのため、バックヤードなどで食材を容器に盛り付けて閉蓋２をする作業において、スムーズに閉蓋２作業を行うことができる。また、バックヤード以外の専用工場で食品の充填からパッキングまでを機械によって行う際においても、積み重ねられた蓋２同士が噛み合って互いに外れにくいということがなく、ライントラブルの発生を防止できる。また、ブロッキング防止用の突起を設ける必要がないので、蓋２の視認性を向上させることができる。そのため、顧客が容器に収容された食品を蓋２を介してはっきりと視認することができ、容器に収容した食品のおいしさを顧客に対して十分に伝えることができる。
【００３１】
更に、上下二つの当て面が何れも略水平面３３，３４，４０及び天面部２０の最外部の略水平面であると、ブロッキングをより一層確実に防止できると共に、積み重ねた蓋２をより一層確実に水平に保つことができる。尚、本実施形態では、側壁部２１の上下に略水平面３３，３４を設けたが、何れか一方のみに略水平面を設けてもよく、また、上下二つの略水平面３３，３４を何れも省略してもよい。また、フランジ部２２の最内部の略水平面４０を省略してもよい。
【００３２】
尚、フランジ部２２に外嵌合構造を備える構成であってもよい。その一例を図６に示している。図６に示している形態では、フランジ部２２は、その最内部から順に、略水平面５０と、該略水平面５０の外縁から外側に延びていて、上方に膨出した形状の膨出部５１と、該膨出部５１の外縁から下方に垂下する垂下部５２と、該垂下部５２の下側に内側に向けて突設された係合凸部５３と、該係合凸部５３の下端から外向きに斜め下方に延びる外周縁部５４とを備えている。この蓋２を図示しない容器本体に被せると、係合凸部５３が容器本体のフランジ部の下面に外側から係合する。尚、図６の形態では、第二の逆テーパ部３２の上側に、面取り部５５を介して比較的大きな幅の略水平面３４が内側に向けて形成されている。
【００３３】
この蓋２を上下に積み重ねた状態を図７に示している。下側の蓋２における天面部２０の最外部の上に、上側の蓋２における側壁部２１の上側の略水平面３３が当接する。また、下側の蓋２における側壁部２１の下側の略水平面３４と面取り部５５との境界付近に、上側の蓋２におけるフランジ部２２の略水平面５０と第二の逆テーパ部３２との境界付近が当接する。尚、この場合には、フランジ部２２の外周縁部５４が下側の蓋２における垂下部５２の上端に当接する。
【符号の説明】
【００３４】
１    容器本体
２    蓋
１０    底面部
１１    側壁部
１２    フランジ部
２０    天面部
２０ａ  直線部
２１    側壁部
２１ａ  ラベル貼着面
２２    フランジ部
３０    第一の逆テーパ部
３１    側壁主部
３２    第二の逆テーパ部
３３    上側の略水平面
３４    下側の略水平面
４０    フランジ部の略水平面
４１    内壁部
４２    下面部
４３    面取り部
４４    逆テーパ嵌合部
４５    面取り部
４６    外周縁部
４７    摘み部
５０    略水平面
５１    膨出部
５２    垂下部
５３    係合凸部
５４    外周縁部
５５    面取り部
【図１】
2018079949.tif 000003
【図２】
2018079949.tif 000004
【図３】
2018079949.tif 000005
【図４】
2018079949.tif 000006
【図５】
2018079949.tif 000007
【図６】
2018079949.tif 000008
【図７】
2018079949.tif 000009